(57)【要約】【課題】ペーパーを１列から２列に振り分ける場合に、ペーパーの傾きを補正して正しい姿勢で下流側に受け渡す写真感光材料の搬送装置を提供すること。【解決手段】ペーパーを挟持する一対のチャッカ７１，７２と、これを搬送経路に沿った方向に各別に移動可能にする第１駆動機構と、一対のチャッカ７１，７２を、搬送幅方向に各別に移動可能にする第２駆動機構とを備え、一対のチャッカ７１，７２を各別に駆動制御し、１列から多列にペーパーを振り分け、第１姿勢と第２姿勢の間でチャッカ７１，７２を回転可能に支持する支持体２５，２６と、チャッカ７１，７２を第１姿勢に保持する姿勢保持手段と、この保持状態を解除する姿勢保持解除手段と、チャッカ７１，７２を第２姿勢の方向に付勢するバネと、第２位置でチャッカ７１，７２を第２姿勢から第１姿勢の方向に回転させる当接部１６，１７とを設け、チャッカ７１，７２を当接部１６，１７に当接させることで、ペーパーの姿勢を補正する。【選択図】    図２
2004338899.tif 000002
【特許請求の範囲】
【請求項１】
プリントサイズに切断された写真感光材料を挟持可能な一対の挟持手段と、
上流側搬送機構から写真感光材料を受け取る第１位置と、下流側搬送機構へ写真感光材料を受け渡す第２位置との間で、前記一対の挟持手段を搬送経路に沿った方向に各別に移動可能にするため、夫々に対して設けられた第１駆動機構と、
前記一対の挟持手段を、搬送経路に直交する搬送幅方向に各別に移動可能にするために、夫々に対して設けられた第２駆動機構とを備え、
前記一対の挟持手段を各別に駆動制御することで、１列搬送から多列搬送状態に写真感光材料を振り分けることができる写真感光材料の搬送装置であって、
所定軸芯周りに第１姿勢と第２姿勢の間で前記挟持手段を回転可能に支持する支持体と、
前記挟持手段を第１姿勢に保持する姿勢保持手段と、
前記姿勢保持手段による保持状態を解除する姿勢保持解除手段と、
前記挟持手段を前記第２姿勢の方向に付勢する付勢手段と、
前記第２位置にて、前記挟持手段を前記第２姿勢から第１姿勢の方向に回転させる当接部とを設け、
振り分け搬送時において、前記各挟持手段は、前記第１位置で、前記第１姿勢で上流側搬送機構から写真感光材料を受け取り、前記第２位置に搬送される途中で前記第１姿勢を解除して、前記付勢手段により前記第２姿勢に姿勢変更させ、前記第２位置にて前記挟持手段を前記当接部に当接させることで、前記挟持手段が下流側搬送機構に写真感光材料を受け渡す際に写真感光材料の姿勢を補正するように構成したことを特徴とする写真感光材料の搬送装置。
【請求項２】
前記当接部の取り付け状態を可変可能に構成することで、前記挟持手段が当接するタイミングを調整可能にしたことを特徴とする請求項１に記載の写真感光材料の搬送装置。
【請求項３】
前記挟持手段が前記第１駆動機構により搬送される搬送量を可変可能にすることで、前記挟持手段が回転する量を調整可能にしたことを特徴とする請求項１又は２に記載の写真感光材料の搬送装置。
【請求項４】
前記姿勢保持手段は、前記挟持手段と前記支持体のいずれか一方に設けられた保持軸と、いずれか他方に設けられた前記保持軸が嵌合する嵌合部であることを特徴とする請求項１〜３のいずれか１項に記載の写真感光材料の搬送装置。
【請求項５】
前記第２駆動機構が前記姿勢保持解除手段として機能することを特徴とする請求項１〜４のいずれか１項に記載の写真感光材料の搬送装置。
【発明の詳細な説明】
【０００１】
【発明の属する技術分野】
本発明は、プリントサイズに切断された写真感光材料を１列搬送状態から多列搬送状態に振り分けるに際して、写真感光材料が搬送されるときの姿勢を補正することができる写真感光材料の搬送装置に関する。
【０００２】
【従来の技術】
かかる搬送装置は、ペーパー等の写真感光材料に画像を焼付露光するプリンタプロセッサーに用いられている。すなわち、  未露光のペーパーは、ペーパーマガジンにロール状に収容されており、ペーパーマガジンから引き出された長尺状のペーパーは、ペーパーカッターによりプリントサイズに切断される。この切断されたペーパーは、露光部に搬送されて、乳剤面に画像が焼付露光される。画像が焼付露光されたペーパーは、プロセッサ部に搬送され、所定の現像処理・乾燥処理が施された後、装置外部に仕上がりの写真プリントとして排出される。
【０００３】
ペーパーマガジンから引き出されたペーパーは、所定の搬送経路に沿って１列で搬送されるのが一般的な構成であるが、露光部における露光処理を効率良く行うために、露光部に至るまでに１列から２列に搬送状態を切り換えるものが知られている。すなわち、  ペーパーを挟持するために一対の挟持手段を設け、各挟持手段を各別に駆動できるように、一対の第１駆動機構と一対の第２駆動機構を設けている。ペーパーを搬送経路に沿って搬送させるために第１駆動機構が設けられている。また、振り分けを行うために、ペーパーを搬送幅方向にも移動させる必要があり、そのために一対の第２駆動機構が設けられる。すなわち、  ペーパーを搬送経路の方向に移動させると共に搬送幅方向にも移動させることで、ペーパーを２列に振り分けることができる。このように振り分けられたペーパーは、露光部に搬送されて画像が焼付露光されることになる。
【０００４】
一方、ペーパーマガジンから引き出されたペーパーはプリントサイズに切断された後に、上記の振り分け搬送機構に受け渡されるが、この時のペーパーの姿勢に傾きが生じることがある。ペーパーは、ペーパーマガジンの内部に設けられたガイド機構やペーパーマガジンから引き出された後も、その幅方向がガイドされている。
【０００５】
しかしながら、ペーパーの幅寸法はたとえ同じ種類のペーパーであっても、公差があるためばらつきがある。したがって、ペーパーの幅方向を全くの隙間がない状態でガイドすることは困難である。すなわち、  ペーパーの幅方向はガイド機構により規制されているものの、ペーパーに傾きが生じる可能性がある。また、ガイド機構やその他の搬送機構の機械的寸法精度のばらつき等も、ペーパーに傾きを生じさせる原因となる。このような傾きが生じた状態でペーパーが露光部に搬送されると、ペーパーに画像が傾いた状態で露光形成されることになり、画質を低下させる。
【０００６】
そこでペーパーの傾きを補正した状態で露光部に送り込むことができる感光材料搬送装置が下記特許文献１に開示されている。この搬送装置は、シート状の感光材料を挟持する挟持手段を備えており、感光材料を第１位置から第２位置へと搬送する。そして、感光材料を搬送面内で揺動させる機構が設けられ、これにより、感光材料を正しい姿勢で下流側の搬送機構に受け渡すことができる。
【０００７】
【特許文献１】
特開２００２−１２２９４７号公報（特許請求の範囲、図８等）
【０００８】
【発明が解決しようとする課題】
上記先行技術に開示される写真感光材料の搬送装置は、写真感光材料を１列で搬送させるものであり、写真感光材料を多列に振り分ける構成を開示するものではない。したがって、上記先行技術に開示されている写真感光材料の姿勢を補正する機構も、１列搬送の場合には適用できるものであるが、多列に振り分け搬送する場合には、適用することが難しい。
【０００９】
本発明は上記実情に鑑みてなされたものであり、その課題は、写真感光材料を１列から多列に振り分ける場合においても、写真感光材料の傾きを補正して正しい姿勢で下流側の搬送機構に受け渡すことができる写真感光材料の搬送装置を提供することである。
【課題を解決するための手段】
上記課題を解決するため本発明に係る写真感光材料の搬送装置は、
プリントサイズに切断された写真感光材料を挟持可能な一対の挟持手段と、
上流側搬送機構から写真感光材料を受け取る第１位置と、下流側搬送機構へ写真感光材料を受け渡す第２位置との間で、前記一対の挟持手段を搬送経路に沿った方向に各別に移動可能にするため、夫々に対して設けられた第１駆動機構と、
前記一対の挟持手段を、搬送経路に直交する搬送幅方向に各別に移動可能にするために、夫々に対して設けられた第２駆動機構とを備え、
前記一対の挟持手段を各別に駆動制御することで、１列搬送から多列搬送状態に写真感光材料を振り分けることができる写真感光材料の搬送装置であって、
所定軸芯周りに第１姿勢と第２姿勢の間で前記挟持手段を回転可能に支持する支持体と、
前記挟持手段を第１姿勢に保持する姿勢保持手段と、
前記姿勢保持手段による保持状態を解除する姿勢保持解除手段と、
前記挟持手段を前記第２姿勢の方向に付勢する付勢手段と、
前記第２位置にて、前記挟持手段を前記第２姿勢から第１姿勢の方向に回転させる当接部とを設け、
振り分け搬送時において、前記各挟持手段は、前記第１位置で、前記第１姿勢で上流側搬送機構から写真感光材料を受け取り、前記第２位置に搬送される途中で前記第１姿勢を解除して、前記付勢手段により前記第２姿勢に姿勢変更させ、前記第２位置にて前記挟持手段を前記当接部に当接させることで、前記挟持手段が下流側搬送機構に写真感光材料を受け渡す際に写真感光材料の姿勢を補正するように構成したことを特徴とするものである。
【００１０】
この構成による写真感光材料の搬送装置の作用・効果は、以下の通りである。写真感光材料を挟持可能な一対の挟持手段を備えている。この一対の挟持手段は、夫々、第１駆動機構と第２駆動機構を備えている。各挟持手段は、独立して駆動することができる。すなわち、  各挟持手段は、搬送経路に沿った方向（第１位置から第２位置へ）の移動と、搬送幅方向に沿った方向の移動とを行うことができ、これにより、写真感光材料を１列状態から多列状態に振り分けて、下流側へと引き渡すことができる。
【００１１】
ここで各挟持手段は、支持体に支持されており、第１姿勢と第２姿勢の間を回転可能である。挟持手段は、付勢手段により第２姿勢の方向に回転するように付勢されている。また、挟持手段が第２姿勢の方向に回転しないように、姿勢保持手段が設けられている。また、姿勢保持を解除する姿勢保持解除手段も設けられている。かかる機構により振り分け搬送を行う場合の動作は、次のようになる。
【００１２】
まず、第１位置で上流側から搬送されてくる写真感光材料を１つの挟持手段が受け取る。このとき、挟持手段は姿勢保持手段により第１姿勢に保持されている。挟持手段により写真感光材料を挟持した後、第１駆動機構により挟持手段を第２位置に向けて移動させる。また、第２駆動機構も適宜のタイミングで挟持手段を幅方向に移動させる。そして、搬送途中の適宜のタイミングで、姿勢保持解除手段により姿勢保持を解除する。これにより、挟持手段は、第１姿勢から第２姿勢へと姿勢変更される。そして、第２位置にて、挟持手段は当接部に当接し、第２姿勢から第１姿勢の方向へと回転させられる。この回転量は、写真感光材料の姿勢を補正するための補正値として予め求めておくことができる。これにより、姿勢を正しく補正した状態で、挟持手段は写真感光材料を下流側の搬送装置に受け渡すことができる。その結果、写真感光材料を１列から多列に振り分ける場合においても、写真感光材料の傾きを補正して正しい姿勢で下流側の搬送機構に受け渡すことができる写真感光材料の搬送装置を提供することができる。
【００１３】
本発明の好適な実施形態として、前記当接部の取り付け状態を可変可能に構成することで、前記挟持手段が当接するタイミングを調整可能にしたものがあげられる。
【００１４】
当接部の取り付け状態を可変とすることで、挟持手段が当接するタイミングを調整可能にする。これにより、挟持手段を第１姿勢の方向に向けて回転させる回転量を調整することができる。すなわち、  挟持手段の搬送量が同じであるとすれば、挟持手段が回転する量を調整することができる。
【００１５】
本発明の別の好適な実施形態として、前記挟持手段が前記第１駆動機構により搬送される搬送量を可変可能にすることで、前記挟持手段が回転する量を調整可能にしたものがあげられる。
【００１６】
挟持手段が第１駆動機構により搬送される搬送量を変えることによっても、挟持手段の回転量を調整することができる。つまり、搬送量を増やせば挟持手段が回転する量が増えるので、補正値を大きくすることができる。搬送量を減らせば、補正値を小さくすることができる。すなわち、  調整のための可動部分がないので、構成を簡素化することができる。
【００１７】
本発明の更に別の好適な実施形態として、前記姿勢保持手段は、前記挟持手段と前記支持体のいずれか一方に設けられた保持軸と、いずれか他方に設けられた前記保持軸が嵌合する嵌合部であるものがあげられる。
これにより、保持軸と嵌合部の組み合わせという簡素な構成で姿勢保持手段を構成することができる。
【００１８】
本発明の更に別の好適な実施形態として、前記第２駆動機構が前記姿勢保持解除手段として機能するものがあげられる。
これにより、姿勢保持を解除するための姿勢保持解除手段を専用に設けなくてもすむので、構成を簡素化することができ、部品コストを抑制することができる。
【００１９】
【発明の実施の形態】
本発明に係る写真感光材料の搬送装置の好適な実施形態を図面を用いて説明する。  図１は、本発明に係る搬送装置が用いられる画像露光装置の構成を示す模式図である。
【００２０】
＜画像露光装置の構成＞
まず、写真感光材料であるペーパーがロールＲの形態で収容されたペーパーマガジン１が２機設けられている。２つのペーパーマガジン１のうちのいずれかが使用される。アドバンスローラ２は、ペーパーマガジン１から引き出された長尺状のペーパーを下流側の搬送経路へと送り出す。ペーパーカッター３は、引き出された長尺状のペーパーＰをプリントサイズに切断する。  裏面印字機４は、ペーパーＰの裏面にコマ番号等のデータを印字する。裏面印字機４の搬送経路前後にわたって、搬送ローラ対５と搬送ローラ対６とが設けられている。  これら搬送ローラ対５，６は、振り分け搬送部へペーパーを送り込むペーパー供給部１６として機能する。
【００２１】
チャッカー７は、上流側搬送機構である搬送ローラ対５，６からペーパーＰを受け取る。チャッカー７は、ペーパーＰを挟持して搬送する機能を有しており、図１には示されていないが、実際には２つ設けられている。このチャッカー７は、ペーパーＰを振り分け搬送させる機能を有する。  この点は後述する。図１においてＡで示されるのが振り分け搬送路である。搬送ローラ対８（下流側搬送機構に相当）は、チャッカー７により搬送されてきたペーパーＰを受け取り、下流側の露光部へと引き渡す機能を有する。
【００２２】
露光部９には、露光エンジン１０と、露光搬送ローラ対１１，１２が設けられている。露光エンジン１０は、デジタル画像データに基づいて、ペーパーＰの乳剤面に画像を焼付露光するものである。具体的には、露光光を主走査方向（搬送幅方向）に沿って走査しつつ、ペーパーＰを副走査方向（搬送方向）に沿って一定速度で移動させることで、画像を形成する。露光エンジン１０については、レーザーエンジン、ＰＬＺＴエンジン、ＣＲＴエンジン等の適宜の構造のエンジンを用いることができる。
【００２３】
画像が焼付露光されたペーパーＰは、搬送ローラ群１３により引き続き搬送され、現像処理部１４と乾燥処理部１５にて所定の処理が施され、仕上がりの写真プリントとして装置外部に排出される。
【００２４】
＜振り分け搬送部＞
図２は、振り分け搬送部２０の構成を示す平面模式図である。先ほど説明したチャッカー７であるが、第１チャッカー７１と第２チャッカー７２の２つが設けられている。第１チャッカー７１を搬送経路に沿った方向（矢印Ｙ）に移動させるために第１駆動機構が設けられており、この第１駆動機構は、第１モーター２１と第１搬送ベルト２２とを備えている。また、第２チャッカー７２を搬送経路に沿って移動させるためにも第１駆動機構が設けられており、第２モーター２３と第２搬送ベルト２４とを備えている。これら２つの第１駆動機構は、それぞれ独立して駆動させることができる。したがって、第１・第２チャッカー７１，７２も各々独立して駆動することができる。第１チャッカー７１は、第１支持体２５に支持されており、この第１支持体２５は、  第１搬送ベルト２２に固定されている。第２チャッカー７２は、第２支持体２６に支持されており、この第２支持体２６は、  第２搬送ベルト２４に固定されている。これにより、各搬送ベルト２２，２４を駆動することで、各チャッカー７１，７２を搬送方向に移動させることができる。
【００２５】
各チャッカー７１，７２がペーパー供給部１６からペーパーを受け取る位置を第１位置と定義し、露光部９へとペーパーを受け渡す位置を第２位置と定義する。
【００２６】
また、各チャッカー７１，７２は、搬送方向と直交する搬送幅方向（図２の矢印Ｘ方向）にも移動できるようになっており、そのための第２駆動機構が第１・第２支持体２５，２６に夫々搭載されている。第２駆動機構については図示されていないが、例えば、リニアモータにより各チャッカー７１，７２を駆動できる。
【００２７】
各チャッカー７１，７２の動きを制御するために、制御装置３０が設けられている。チャッカー７１，７２を駆動するためのチャッカー駆動部３１が設けられている。モーター２１，２３を駆動するためのモータ駆動部３２が設けられている。制御装置３０は、これらチャッカー駆動部３１とモータ駆動部３２に指令を与えることで、各チャッカー７１，７２の駆動を制御する。
【００２８】
なお、各チャッカー７１，７２は左右対称的な配置ではあるが、同じ機構を備えており、第１駆動機構と第２駆動機構も同じ機構である。
【００２９】
次に振り分け搬送の動きを説明する。この振り分け搬送部２０は、振り分け搬送を行うモードと１列搬送を行うモードとを切り換えることができる。図２は、振り分け搬送を行うときの様子を示している。図３は、１列搬送をするときの様子を示している。図３に示すように、幅広のペーパーＰを搬送するときには、１枚のペーパーＰを第１・第２チャッカー７１，７２の両方で挟持して搬送するようにしている。この場合は、第１モーター２１と第２モーター２３とが同じ動きをするように制御装置３０により制御する。また１列搬送の時には、第１駆動機構のみが作動し、第２駆動機構は作動しない。
【００３０】
サービスサイズのように幅狭のペーパーＰを搬送するときには、振り分け搬送部２０により１列から２列に振り分ける。これにより、露光部９において２列の状態で露光処理を行うことができるので、写真処理の効率を高めることができる。振り分けを行う場合、図２に示すように、右側の第１チャッカー７１は、矢印Ｂに示すような動きをし、左側の第２チャッカー７２は矢印Ｃに示すような動きをする。このように第１チャッカー７１と第２チャッカー７２を交互に駆動することで、１列から２列に振り分けることができる。
【００３１】
＜チャッカーの詳細構成＞
図４は、第１チャッカー７１の構成を詳しく説明する図である。（ａ）は平面図であり、（ｂ）は側面図である。以下、第１チャッカー７１についてのみ説明するが、第２チャッカー７２についても同じ構成・同じ動作であるので説明は省略する。第１チャッカー７１は、支持体２５に設けられた回転台４０に対して回転自在に支持されている。第１チャッカー７１の回転中心はＯで示される。回転軸は図４（ａ）において、紙面に垂直である。第１チャッカー７１は、側面視で略コの字の形状（略逆Ｃの字）を有しており、ペーパーＰを受け入れるための空間部７１ｃが形成されている。この空間部７１ｃの上下に第１突起部７１ａと第２突起部７１ｂが設けられており、これら突起部７１ａ，７１ｂによりペーパーＰを挟持する。突起部７１ａ，７１ｂは、不図示の機構によりペーパーＰを挟持する状態と挟持状態を解除した状態とに切り換えることができるように構成されている。  この機構については、例えば、先に説明した特許文献１（特開２００２−１２２９４７号公報）に開示されている構造を採用することができる。ただし、これに限定されるものではない。
【００３２】
回転台４０の上には回転ベース４１が設けられている。この回転ベース４１（及びこれに搭載された部材）が回転台４０に対して回転することができる。この回転ベース４１の上にスライドレール４２が設けられている。このスライドレール４２に被ガイド部４３がガイドされるように構成され、この被ガイド部４３に第１チャッカー７１が連結されている。これにより、第１チャッカー７１は、搬送幅方向（矢印Ｘ方向）に沿って移動することができる。この移動は、不図示のモータにより行うことができる。
【００３３】
第１チャッカー７１は、回転ベース４１に取り付けられている引張コイルスプリング４４（付勢手段に相当）により、回転中心Ｏ周りの時計方向に回転するように付勢されている。また、第１チャッカー７１が回転する範囲を規制するために第１ストッパー４５と第２ストッパー４６とが設けられている。また、被ガイド部４３の搬送幅方向の両側には、第１保持軸４７と第２保持軸４８が取り付けられている。一方、支持体２５の搬送幅方向両側には、第１立壁部２５ａと第２立壁部２５ｂが形成されている。第１立壁部２５ａには、第１保持軸４７が挿入される第１嵌合孔２５ｃが形成され、第２立壁部２５ｂには、第２保持軸４８が挿入される第２嵌合孔２５ｄが形成されている。したがって、第１・第２保持軸４７，４８が第１・第２嵌合孔２５ｃ，２５ｄに挿入された状態では、第１チャッカー７１は回転することができない。図４に示す図では、第１保持軸４７が第１嵌合孔２５ｃに挿入された状態であり、第１チャッカー７１は回転しない。
【００３４】
図５は、第１保持軸４７が第１嵌合孔２５ｃから脱出した状態を示している。また、第２保持軸４８も第２嵌合孔２５ｄには挿入されていない状態である。この状態では、第１チャッカー７１は、コイルスプリング４４の付勢力により回転し、第１ストッパー４５に当接した状態である。また、露光部９には、第１当接部１６と第２当接部１７とが設けられており、第１当接部１６は第１チャッカー７１に当接し、第２当接部１７は、第２チャッカー７２が当接する。第１当接部１６は、第１チャッカー７１の被当接部７１ｄに当接する。これにより、第１チャッカー７１は、コイルスプリング４４の付勢力に抗して強制的に反時計方向に回転させられる。第１チャッカー７１が回転可能な角度（範囲）は、第１ストッパー４５と第２ストッパー４６により規制されている範囲である。したがって、第１チャッカー７１が強制的に回転させられる範囲も、上記規制されている範囲となる。また、そのような範囲となるように、搬送量とストッパー４５，４６の位置が設定されている。なお、第１保持軸４７が第１嵌合孔２５ｃに挿入されて第１チャッカー７１が動かない状態を第１姿勢と定義する。また、コイルスプリング４４の付勢力により第１ストッパー４５に当接するまで第１チャッカー７１が回転した状態を第２姿勢と定義する。
【００３５】
＜姿勢補正について＞
上記のように、第１チャッカー７１を回転させる機構を設けている理由について説明する。ペーパーＰに画像を露光形成する場合、ペーパーマガジン１から引き出されたペーパーＰはプリントサイズに切断された後に、上記の振り分け搬送部２０に受け渡される。しかし、ここに至るまでにペーパーの姿勢に傾きが生じることがある。ペーパーＰは、ペーパーマガジン１の内部に設けられたガイド機構やペーパーマガジン１から引き出された後も、その幅方向がガイドされている。
【００３６】
しかしながら、ペーパーＰの幅寸法はたとえ同じ種類のペーパーであっても、公差があるためばらつきがある。したがって、ペーパーＰの幅方向を全くの隙間がない状態でガイドすることは困難である。すなわち、  ペーパーＰの幅方向はガイド機構により規制されているものの、ペーパーＰに傾きが生じる可能性がある。また、ガイド機構やその他の搬送機構の機械的寸法精度のばらつき等も、ペーパーＰに傾きを生じさせる原因となる。このような傾きが生じた状態でペーパーＰが露光部に搬送されると、画像が傾いた状態でペーパーＰに露光形成されることになり、画質を低下させる。
【００３７】
かかる実情に鑑みて、ペーパーＰの姿勢を補正するような機構を組み込んでいる。そこで、第１チャッカー７１によりペーパーＰを受け取った後、第１チャッカー７１を第１姿勢から第２姿勢の位置まで回転させるようにしている。そして、露光部９にペーパーＰを受け渡す際に第２姿勢から第１姿勢の方向に第１チャッカー７１を回転させるようにしている。これにより、正しい姿勢に補正した状態（傾きのない状態）で下流側の搬送ローラ対８にペーパーＰを渡す。なお、どの程度第１チャッカー７１を回転させるかについては、あらかじめ補正値を求めておく。この点を以下説明する。
【００３８】
そのために、まず図６に示すようなテストプリントＴＰを作成する。このテストプリントＴＰに形成される画像は、中央にセンターラインが形成され、搬送方向の上手と下手に目盛りＭ１．Ｍ２が形成される。仮にテストプリントＴＰが傾斜しない状態で搬送されておれば、プリントの端部の目盛りの読みは同じになる。また、テストプリントＴＰが傾いた状態で搬送されておれば、上手側の目盛りの読みと下手側の目盛りの読みとが異なってくる。この読み取り値の差に基づいて、ペーパーＰの傾き度合いを求めることができる。したがって、この傾きをキャンセルできるように、各チャッカー７１，７２を回転させれば良いことになる。
【００３９】
各当接部１６，１７により各チャッカー７１，７２が当接して回転させられる量、すなわち、  補正値の調整は次のように行うことができる。まず、各当接部１６，１７の取り付け位置を図５の矢印Ｄ方向（搬送方向と同じ）に沿って変えられるように構成する。当接部１６，１７の取り付け位置を変えることで、各チャッカー７１，７２が当接部１６，１７に当接するタイミングが変わる。これにより、傾き補正量を調整することができる。各当接部１６，１７の位置を変える方法としては、モータにより各当接部１６，１７の位置を変えるようにしても良いし、手動で取り付け位置を変えるようにしても良い。
【００４０】
また、その他の調整方法として、各当接部１６，１７の位置は固定しておき、各チャッカー７１，７２が第１駆動機構により搬送される搬送量を変えることでも補正量を調整可能である。すなわち、  各チャッカー７１，７２が各当接部１６，１７に当接した後の各チャッカー７１，７２の移動量を変えることで、各チャッカー７１，７２が回転する量（補正量）を調整することができる。搬送量は、第１・第２モーター２１，２３の駆動量により設定できる。パルスモータであれば、駆動パルス数により設定できる。この場合、調整のために機械的に動かす部分がないので、より簡単に調整を行うことができる。
【００４１】
＜振り分け動作＞
次に、本実施形態の構成による振り分け動作について、図７のフローチャートにより説明する。第１チャッカー７１は第１位置にて、搬送ローラ対５からペーパーＰを受け取るべく待機する。このとき、第１保持軸４７は第１嵌合孔２５ｃに挿入されており、チャッカー７１は第１姿勢に保持されている（＃１）。ペーパーＰが搬送されてくると、突起部７１ａ，７１ｂによりペーパーＰを挟持し受け取る（＃２）。
【００４２】
次に、第１モーター２１を駆動して第１チャッカー７１を搬送方向に沿って移動する（＃３）。また、第２駆動機構により第１チャッカー７１をスライドレール４２に沿って移動させる。これにより、第１保持軸４７が第１嵌合孔２５ｃから脱出し、保持状態が解除される（＃４）。すなわち、  第２駆動機構は、姿勢保持解除手段としても機能している。保持状態が解除されると、第１チャッカー７１は、コイルスプリング４４により回転させられて第２姿勢に姿勢変更する（＃５）。なお、第１駆動機構により第１チャッカー７１が移動されてから、第２駆動機構をどのタイミングで駆動開始させるかは、適宜に設定することができる。第２チャッカー７２と干渉しないようなタイミングで駆動開始させればよい。
【００４３】
引き続き第１チャッカー７１を駆動すると、当接部１６に当接し、第１チャッカー７１は、少し第１姿勢の方向に向けて回転させられる（＃６，７）。この状態を図８に示す。これにより、ペーパーＰの姿勢が補正され、正しい姿勢でペーパーＰが露光部９の搬送ローラ対８に引き渡される（＃８）。その後、第１チャッカー７１を、次のペーパーＰを受け取るために第１位置へと戻す必要がある。
【００４４】
すなわち、  第１チャッカー７１が搬送ローラ対８へのペーパーＰの受け渡しを完了すると、第１駆動機構２０の第１モーター２１をこれまでとは逆方向に駆動する。第１当接部１６による当接状態が解除されると第１チャッカー７１は、コイルスプリング４４の付勢力で第２姿勢に戻る。第１位置へと第１チャッカー７１を戻す場合の移動軌跡は、図２の矢印Ｂをおおむね逆方向にたどればよい。そのため、第２駆動機構も合わせて駆動させる。第２駆動機構を駆動させるタイミングは、往きの場合と同様に適宜のタイミングで行うことができる。
【００４５】
第１チャッカー７１が第１位置に戻った際に、次のペーパーを受け取るためには、第１チャッカー７１を第１姿勢にする必要があるが、第１チャッカー７１は第２姿勢の状態で戻ってくる。そのための、適宜のタイミングで第２姿勢から第１姿勢に戻す必要がある。その方法としては種々考えられるが、例えば、第１位置において、当接部１６と同様の機構により、第１チャッカー７１を強制的に第１姿勢にできるように回転させることができる。このように強制的に第１姿勢にした後、第２駆動機構の駆動に基づいて、第１保持軸４７を第１嵌合孔２５ｃに挿入させることができる。その他の方法として、第１保持軸４７の先端をテーパ状に形成することで、強制的に第１嵌合孔２５ｃに案内して挿入するようにできる。以上のように、第１チャッカー７１を第１姿勢かつ第１位置に戻すことができる（＃９）。
【００４６】
図７では第１チャッカー７１の動きのみについて説明したが、第２チャッカー７２についても同様である。振り分けを行うために、第１チャッカー７１と第２チャッカー７２とは、タイミングをずらして駆動している。第１チャッカー７１がペーパーＰを露光部９へと渡す間に、第２チャッカー７２は、上流側からペーパーＰを受け取ることになる。逆に、第２チャッカー７２がペーパーＰを露光部９へ渡す間に、第１チャッカー７１が上流側からペーパーＰを受け取る。
【００４７】
以上、振り分け搬送を行う場合のペーパーの傾き補正について説明してきた。振り分け搬送を行わない場合、すなわち、  図３に示すように一対のチャッカー７１，７２で１枚のペーパーを挟持して露光部９に渡す場合もペーパーの傾きを補正する必要がある。そこで、この場合の動作を説明する。この場合は、第１・第２チャッカー７１，７２を第１位置に待機させて、上流側からペーパーを受け取る。このとき、予め第２駆動機構を駆動して、第２保持軸４８を第２嵌合孔２５ｄに嵌合させておく。このときの各チャッカー７１，７２の姿勢は第１姿勢となっている。第２保持軸４８の先端をテーパ状とすることで、第２嵌合孔２５ｄへ挿入しやすくなる。
【００４８】
これらチャッカー７１，７２により、ペーパーを受け取り第２位置まで搬送する。振り分けは行わないので、第１駆動機構のみ駆動し、第２駆動機構は駆動しない。したがって、各チャッカー７１，７２は、第１姿勢を保持したまま搬送される。第２位置において、下流側の搬送ローラ対８にペーパーを受け渡すが、この場合も、振り分け搬送の場合と同じようにペーパーの傾きを補正する必要がある。そこで、左右のモーター２１，２３による搬送量を変えることで、ペーパーの傾きを補正するようにしている。モーター２１，２３がパルスモータの場合は、駆動パルス数を変えることで左右の搬送量を変えることができる。（先にあげた特許文献１を参照）
＜別実施形態＞
（１）本実施形態では、露光部の直前に配置された振り分け搬送部について説明したが、振り分け搬送部の配置箇所については、これに限定されるものではない。例えば、現像処理部の直前に配置されるような振り分け搬送部においても本発明は応用できるものである。
【００４９】
（２）本実施形態では、姿勢保持解除手段として第２駆動機構と兼用しているが、保持軸のみを動かすための専用の駆動機構を用いても良い。  すなわち、  第１保持軸４７と第２保持軸４８を夫々独立して駆動できるようにしても良い。
【００５０】
（３）姿勢保持手段として、被ガイド部４３に第１・第２保持軸４７，４８を取り付けているが、支持体２５の側に保持軸を取り付けて、被ガイド部４３にこの保持軸が挿入される嵌合孔を形成しても良い。また、嵌合孔ではなく、嵌合溝であってもよい。
【図面の簡単な説明】
【図１】写真感光材料の搬送装置の構成を示す模式図
【図２】振り分け搬送部の構成を示す平面模式図（振り分け状態）
【図３】１列搬送状態を示す振り分け搬送部の平面図
【図４】チャッカーの詳細を示す図
【図５】チャッカーによりペーパーを振り分けしている様子を示す図
【図６】テストプリントの構成例を示す図
【図７】振り分けを行うときの動作を示すフローチャート
【図８】チャッカーが当接部に当接した状態を示す図
【符号の説明】
５，６      搬送ローラ対
７      チャッカー
８      搬送ローラ対
９      露光部
１６    第１当接部
１７    第２当接部
１８    ペーパー供給部
２０    振り分け搬送部
２１    第１モーター
２２    第１搬送ベルト
２３    第２モーター
２４    第２搬送ベルト
２５    第１支持体
２５ｃ  第１嵌合孔
２６    第２支持体
４４    コイルスプリング
４５    第１ストッパー
４６    第２ストッパー
４７    第１保持軸
７１    第１チャッカー
７２    第２チャッカー
Ｐ      ペーパー
【図１】
2004338899.tif 000003
【図２】
2004338899.tif 000004
【図３】
2004338899.tif 000005
【図４】
2004338899.tif 000006
【図５】
2004338899.tif 000007
【図６】
2004338899.tif 000008
【図７】
2004338899.tif 000009
【図８】
2004338899.tif 000010